【手続補正書】
【提出日】平成27年9月7日(2015.9.7)
【手続補正１】
【補正対象書類名】明細書
【補正対象項目名】００２３
【補正方法】変更
【補正の内容】
【００２３】
シートＳの先端が、回転を停止しているレジストローラ対１４に突き当たって一旦シートＳの搬送が停止され、シートＳに撓みが生じる。これによって、シートＳの先端の斜行が矯正される。その後、後述する中間転写ベルト４ａの回転と画像書き出し位置とが同期するタイミングで、シートＳはレジストローラ対１４の回転によって、後述の駆動ローラ４ｂおよび二次転写ローラ４ｃで規定される二次転写部に搬送される。
【手続補正２】
【補正対象書類名】明細書
【補正対象項目名】００２４
【補正方法】変更
【補正の内容】
【００２４】
プロセスカートリッジ５ａ〜５ｄは印字タイミングに合わせて順次駆動し、その駆動に応じて感光ドラム６ａ〜６ｄが図中時計回り方向に回転する。レーザスキャナ９に備えられたポリゴンミラー（図示せず）が回転を始めると、帯電装置７ａ〜７ｄは感光ドラム６ａ〜６ｄの表面を一様に帯電する。
【手続補正３】
【補正対象書類名】明細書
【補正対象項目名】００２９
【補正方法】変更
【補正の内容】
【００２９】
カラートナー像が転写されたシートＳは駆動ローラ４ｂによって分離されて定着器１５に搬送される。シートＳは定着器１５に備えられた定着ローラ対（図示せず）によって搬送されつつ、熱および圧力が加えられる。これによって、カラートナー像がシートＳの表面に定着される。
【手続補正４】
【補正対象書類名】明細書
【補正対象項目名】００３２
【補正方法】変更
【補正の内容】
【００３２】
なお、プリントおよび後処理をオンラインで行う際には、図示のように、シート後処理装置１Ｃがプリンタ本体１の横に並列して配置される。そして、プリンタ本体１の排出ローラ対１８とシート後処理装置１Ｃに備えられた搬入ローラ対２０を連絡する中継搬送装置３がプリンタ本体１の排出トレイ１７に対して略水平に装着される。
【手続補正５】
【補正対象書類名】明細書
【補正対象項目名】００４２
【補正方法】変更
【補正の内容】
【００４２】
中継搬送装置３は、第１および第２の搬送ガイド２０および２１を所定の距離だけ離間した状態に保って係止する係止機構（係止手段）を有している。そして、係止機構によって、後述するように第２の搬送ガイド２１の開閉操作が行われる。
【手続補正６】
【補正対象書類名】明細書
【補正対象項目名】００５２
【補正方法】変更
【補正の内容】
【００５２】
いま、図５（ａ）に示すように、スライド板３０が図中左側に位置すると、金属ローラ２３はバネ（図示せず）による第１の押圧力のみでその位置が保持される。その結果、金属ローラ２３は、シートＳが通過する際に離間する離間方向に弾性ローラ２２から逃げることができる（第１の押圧状態）。
【手続補正７】
【補正対象書類名】明細書
【補正対象項目名】００５３
【補正方法】変更
【補正の内容】
【００５３】
一方、図５（ｂ）に示すように、スライド板３０が図中右側に移動すると、金属ローラ２３の下側に接触しているスライド板３０の付勢部４２によって、金属ローラ２３の位置が固定されることになる。この結果、金属ローラ２３は弾性ローラ２２から離間する離間方向に逃げることができなくなって、金属ローラ２３と弾性ローラ２２との軸間の距離が固定され、第１の押圧力よりも大きい第２の押圧力を保つことができる（第２の押圧状態）。
【手続補正８】
【補正対象書類名】明細書
【補正対象項目名】００７８
【補正方法】変更
【補正の内容】
【００７８】
続いて、ＣＰＵ３０１は予め定められた時間以内にカール補正制御ＨＰセンサ４０がＯＮしたか否かを判定する（Ｓ１１０３）。この予め定められた時間とは、カム３５が１周する時間にマージンを加えた時間である。カール補正制御ＨＰセンサ４０がＯＮしていると（Ｓ１１０３において、ＹＥＳ）、ＣＰＵ３０１は弾性ローラ２２と金属ローラ２３とが正常に当接したと判断し、故障が発生していないとしてカール補正制御モータ２００を停止する（Ｓ１０１４）。シートが中継搬送装置へ到達してもカール補正制御モータ２００は停止したままとなる。そして、ＣＰＵ３０１は画像形成部３２０を制御してプリント処理を行って（Ｓ１１０５）、プリントを終了する。
【手続補正９】
【補正対象書類名】明細書
【補正対象項目名】００８４
【補正方法】変更
【補正の内容】
【００８４】
続いて、ＣＰＵ３０１は所定の時間以内にカール補正制御ＨＰセンサ４０がＯＦＦとなったか否かを判定する（Ｓ１２０３）。この所定の時間とは、カム３５が１周する時間にマージンを加えた時間である。カール補正制御ＨＰセンサ４０がＯＦＦとなると（Ｓ１２０３において、ＹＥＳ）、ＣＰＵ３０１はカール補正制御モータ２００を停止して（Ｓ１２０４）、処理を終了する。
【手続補正１０】
【補正対象書類名】明細書
【補正対象項目名】００９１
【補正方法】変更
【補正の内容】
【００９１】
押圧機構がロック状態であると（Ｓ１３０３において、ＹＥＳ）、ＣＰＵ３０１は、ジャムの発生とは別に、押圧機構の故障により画像形成の再開ができず、押圧機構の故障修理を行うべきである旨の通知を操作部３３０に画面表示する（Ｓ１３０４）。そして、ＣＰＵ３０１はその後の画像形成動作（プリントジョブなど）を禁止して、処理を終了する。
【手続補正１１】
【補正対象書類名】特許請求の範囲
【補正対象項目名】全文
【補正方法】変更
【補正の内容】
【特許請求の範囲】
【請求項１】
シートに画像形成する画像形成手段と、
前記画像形成手段により画像が形成されたシートが搬送される搬送路でシートのジャムを検知するジャム検知手段と、
前記搬送路でジャムが発生した際に、シートを取り除くために開閉されるカバーと、
前記カバーを閉状態にロックするロック手段と、
前記ロック手段によるロックが解除されない異常を検知する異常検知手段と、
前記異常検知手段により前記ロックが解除されない異常が検知された場合、前記ジャム検知手段によりジャムが検知されていなければ、シートが前記搬送路を搬送される画像形成の実行を許可する制御手段と、
を有することを特徴とする画像形成装置。
【請求項２】
前記制御手段は、前記異常検知手段により前記ロックが解除されない異常が検知され、且つ、前記ジャム検知手段によりジャムが検知された場合、前記ロックが解除されないことにより画像形成の再開ができないことを報知することを特徴とする請求項１記載の画像形成装置。
【請求項３】
前記搬送路に配置され、第１の補正ローラおよび第２の補正ローラを第１の押圧力で当接させる第１の押圧状態又は前記第１の押圧力よりも大きな第２の押圧力で当接させる第２の押圧状態とする押圧手段を備え、前記第１の補正ローラおよび前記第２の補正ローラを前記第２の押圧状態にすることによって前記シートに生じたカールを補正するカール補正手段を有し、
前記ロック手段は、前記第１の補正ローラおよび前記第２の補正ローラが前記第２の押圧状態にあるときに前記カバーを閉状態にロックし、前記第１の補正ローラおよび前記第２の補正ローラが前記第１の押圧状態にあるときに前記ロックを解除することを特徴とする請求項１記載の画像形成装置。
【請求項４】
前記異常検知手段は、更に、前記ロック手段によるロックができない異常を検知し、
前記制御手段は、前記異常検知手段により前記ロック手段によるロックができない異常が検知された場合、前記ジャム検知手段によりジャムが検知されていなければ、シートが前記搬送路を搬送される画像形成の実行を許可することを特徴とする請求項１記載の画像形成装置。
【請求項５】
前記制御手段は、前記異常検知手段により前記ロック手段によるロックができない異常が検知され、且つ前記ジャム検知手段によりジャムが検知された場合、前記ロック手段によるロックができない異常が解消されていなくてもジャムが解消されると、シートが前記搬送路を搬送される画像形成の実行を許可することを特徴とする請求項２記載の画像形成装置。
【請求項６】
画像形成のジョブが終了すると、前記第１の補正ローラと前記第２の補正ローラとを前記第２の押圧状態から前記第１の押圧状態に変更する変更手段を有し、
前記異常検知手段は、画像形成のジョブが終了すると前記ロック手段によるロックが解除されない異常が発生しているか否かを検知することを特徴とする請求項３記載の画像形成装置。
【請求項７】
前記異常検知手段は、更に、前記ロック手段によるロックができない異常を検知し、
前記ジャム検知手段によりジャムが検知された場合、前記異常検知手段により前記ロック手段によるロックが解除されない異常が検知されていれば、前記ロック手段の故障であることを報知し、前記異常検知手段により前記ロック手段によるロックができない異常が検知されていれば、ジャムの発生を報知する報知手段を有することを特徴とする請求項１記載の画像形成装置。
【請求項８】
シートに画像形成する画像形成手段と、
前記画像形成手段により画像が形成されたシートが搬送される搬送路に配置され、第１の補正ローラおよび第２の補正ローラを第１の押圧力で当接させる第１の押圧状態又は前記第１の押圧力よりも大きな第２の押圧力で当接させる第２の押圧状態とする押圧手段を備え、前記第１の補正ローラおよび前記第２の補正ローラを前記第２の押圧状態にすることによって前記シートに生じたカールを補正するカール補正手段と、
前記搬送路でシートのジャムを検知するジャム検知手段と、
前記第１の補正ローラと前記第２の補正ローラとが前記第２の押圧状態から前記第１の押圧状態にならない異常を検知する異常検知手段と、
前記異常検知手段により前記第１の押圧状態にならない異常が検知された場合、前記ジャム検知手段によりジャムが検知されていなければ、シートが前記搬送路を搬送される画像形成の実行を許可する制御手段と、
を有することを特徴とする画像形成装置。
【請求項９】
前記制御手段は、前記異常検知手段により前記第１の押圧状態にならない異常が検知され、且つ前記ジャム検知手段によりジャムが検知された場合、前記異常により画像形成が再開できないことを報知することを特徴とする請求項８記載の画像形成装置。
【請求項１０】
前記異常検知手段は、更に、前記第１の補正ローラと前記第２の補正ローラとが前記第１の押圧状態から前記第２の押圧状態にならない異常を検知し、
前記制御手段は、前記異常検知手段により前記第２の押圧状態にならない異常を検知した場合、前記ジャム検知手段によりジャムが検知されていなければ、シートが前記搬送路を搬送される画像形成の実行を許可することを特徴とする請求項８記載の画像形成装置。
【請求項１１】
前記制御手段は、前記異常検知手段により前記第２の押圧状態にならない異常が検知され、且つ前記ジャム検知手段によりジャムが検知された場合、前記第２の押圧状態にならない異常が解消されていなくてもジャムが解消されると、シートが前記搬送路を搬送される画像形成の実行を許可することを特徴とする請求項１０記載の画像形成装置。
【請求項１２】
前記異常検知手段は、更に、前記第１の補正ローラと前記第２の補正ローラとが前記第１の押圧状態から前記第２に押圧状態にならない異常を検知し、
前記ジャム検知手段によりジャムが検知された場合、前記異常検知手段により前記第１の押圧状態にならない異常が検知されていれば、前記カール補正手段の故障であることを報知し、前記異常検知手段により前記第２の押圧状態にならない異常が検知されていれば、ジャムの発生を報知する報知手段を有することを特徴とする請求項８記載の画像形成装置。
【請求項１３】
画像形成のジョブが終了すると、前記第１の補正ローラと前記第２の補正ローラとを前記第２の押圧状態から前記第１の押圧状態に変更する変更手段を有し、
前記異常検知手段は、画像形成のジョブが終了すると前記第１の押圧状態にならない異常が発生しているか否かを検知することを特徴とする請求項８記載の画像形成装置。
【請求項１４】
画像が形成されたシートが搬送される搬送路でシートのジャムが発生した際に、シートを取り除くために開閉されるカバーと、前記カバーを閉状態にロックするロック手段とを有する画像形成装置の制御方法において、
前記ロック手段によるロックが解除されない異常を検知する異常検知ステップと、
前記異常検知ステップにより異常が検知されたことを記憶手段に記憶する記憶ステップと、
シートのジャムが検知された場合に、前記記憶手段に異常が検知されたことが記憶されていなければ、ジャムの発生を報知し、前記記憶手段に異常が検知されたことが記憶されていれば、前記ロック手段の故障を報知する報知ステップと、
を有することを特徴とする画像形成装置の制御方法。
【請求項１５】
画像が形成されたシートが搬送される搬送路に配置され、第１の補正ローラおよび第２の補正ローラを第１の押圧力で当接させる第１の押圧状態又は前記第１の押圧力よりも大きな第２の押圧力で当接させる第２の押圧状態とする押圧手段を備え、前記第１の補正ローラおよび前記第２の補正ローラを前記第２の押圧状態にすることによって前記シートに生じたカールを補正するカール補正手段を有する画像形成装置の制御方法において、
前記第１の補正ローラと前記第２の補正ローラとが前記第２の押圧状態から前記第１の押圧状態にならない異常を検知する異常検知ステップと、
前記異常検知ステップにより異常が検知されたことを記憶手段に記憶する記憶ステップと、
シートのジャムが検知された場合に、前記記憶手段に異常が検知されたことが記憶されていなければ、ジャムの発生を報知し、前記記憶手段に異常が検知されたことが記憶されていれば、前記カール補正手段の故障を報知する報知ステップと、
を有することを特徴とする画像形成装置の制御方法。